(57)【要約】      （修正有）【課題】小型で目立たないと共に、耳全体を覆わないことで耳への圧迫感を軽減することができる補聴機器を提供する。【解決手段】眼鏡のテンプル部分又はモダン部分を挿入する係止孔１０ａが穿設され、眼鏡のテンプル部分又はモダン部分に装着可能な円環状の係止部材１０と、一端が係止部材の下方に固定された腕状の保持腕１２と、保持腕の他端に固定され、音を発する発音体本体３０と発音体本体を覆うように設けられた略円盤状のプレート２２とからなる発音体２０とを備えることを特徴とする。【選択図】図１
0003187988.tif 000002
【実用新案登録請求の範囲】
【請求項１】
耳に押し当てて音を再生する補聴機器において、
眼鏡のテンプル部分又はモダン部分を挿入する係止孔が穿設され、該眼鏡のテンプル部分又はモダン部分に装着可能な円環状の係止部材と、
一端が該係止部材の下方に固定された腕状の保持腕と、
該保持腕の他端に固定され、音を発する発音体本体と該発音体本体を覆うように設けられた略円盤状のプレートとからなる発音体とを備えることを特徴とする補聴機器。
【請求項２】
耳に押し当てて音を再生する補聴機器において、
棒状で、一端が耳の上方に位置し後頭部付近を迂回して他端が他方の耳の上方に位置して伸びる湾曲したバックバンドと、
該バックバンドの一端又は他端を挿入する係止孔が穿設され、該バックバンドの該一端又は該他端に装着可能な円環状の係止部材と、
一端が該係止部材の下方に固定された腕状の保持腕と、
該保持腕の他端に固定され、音を発する発音体本体と該発音体本体を覆うように設けられた略円盤状のプレートとからなる発音体とを備えることを特徴とする補聴機器。
【請求項３】
前記プレートが、耳の耳甲介の縁に沿って該耳甲介を塞ぐ形状であることを特徴とする請求項１又は請求項２記載の補聴機器。
【請求項４】
前記プレートが、耳の耳甲介膣を塞ぐ形状であることを特徴とする請求項１又は請求項２記載の補聴機器。
【請求項５】
前記プレートが、低反発性樹脂製であることを特徴とする請求項１〜請求項４のいずれかに記載の補聴機器。
【請求項６】
前記保持腕が、弾性材料で形成され、該保持腕が、前記発音体を外耳孔方向に付勢保持することを特徴とする請求項１〜請求項５のいずれかに記載の補聴機器。
【請求項７】
前記保持腕が、前記一端と前記他端との間に、傾動可能な継手構造を有し、該保持腕が、前記発音体を外耳孔方向に付勢保持することを特徴とする請求項１〜請求項５のいずれかに記載の補聴機器。
【考案の詳細な説明】
【技術分野】
【０００１】
本考案は、ヘッドホンや補聴器のような耳に押し当てて音を再生する補聴機器に関する。
【背景技術】
【０００２】
従来より、ヘッドホンや補聴器のような耳に押し当てて音を再生する補聴機器としては、外耳孔に挿入するタイプや、耳全体を覆うタイプ等が提案されている。例えば、特許文献１に示される補聴器は、ヘッドホン型補聴器で、両耳用にレシーバーとマイクを備えたヘッドホンを２組設け、ヘッドホンを両耳の耳道の外側近傍に装着するために弾性を有する連結具で連結している。そして、耳に特許文献１の図面で示されるように、ヘッドホンが耳全体を覆うような構造である。
【先行技術文献】
【特許文献】
【０００３】
【特許文献１】特開平０９−８４１９６号公報
【考案の概要】
【考案が解決しようとする課題】
【０００４】
しかしながら、従来の補聴機器は、外耳孔に挿入するタイプでは、挿入による異物感があり、また耳全体を覆うタイプでは、耳全体を覆ってしまうため、装置自体が大きくなり目立ってしまったり、耳全体に対する圧迫感があるという問題点があった。
【０００５】
本考案は、このような事情に鑑みてなされたもので、小型で目立たないと共に、耳全体を覆わないことで耳への圧迫感を軽減することができる補聴機器を提供することにある。
【課題を解決するための手段】
【０００６】
請求項１記載の補聴機器は、眼鏡のテンプル部分又はモダン部分を挿入する係止孔が穿設され、眼鏡のテンプル部分又はモダン部分に装着可能な円環状の係止部材と、一端が係止部材の下方に固定された腕状の保持腕と、保持腕の他端に固定され、音を発する発音体本体と発音体本体を覆うように設けられた略円盤状のプレートとからなる発音体とを備えることを特徴とする。
【０００７】
請求項２記載の補聴機器は、棒状で、一端が耳の上方に位置し後頭部付近を迂回して他端が他方の耳の上方に位置して伸びる湾曲したバックバンドと、バックバンドの一端又は他端を挿入する係止孔が穿設され、バックバンドの一端又は他端に装着可能な円環状の係止部材と、一端が係止部材の下方に固定された腕状の保持腕と、保持腕の他端に固定され、音を発する発音体本体と発音体本体を覆うように設けられた略円盤状のプレートとからなる発音体とを備えることを特徴とする。
【０００８】
請求項３記載の補聴機器は、プレートが、耳の耳甲介の縁に沿って耳甲介を塞ぐ形状であることを特徴とする。
【０００９】
請求項４記載の補聴機器は、プレートが、耳の耳甲介膣を塞ぐ形状であることを特徴とする。
【００１０】
請求項５記載の補聴機器は、プレートが、低反発性樹脂製であることを特徴とする。
【００１１】
請求項６記載の補聴機器は、保持腕が、弾性材料で形成され、保持腕が、発音体を外耳孔方向に付勢保持することを特徴とする。
【００１２】
請求項７記載の補聴機器は、保持腕が、一端と他端との間に、傾動可能な継手構造を有し、保持腕が、発音体を外耳孔方向に付勢保持することを特徴とする。
【考案の効果】
【００１３】
請求項１及び請求項２の考案によれば、眼鏡やバックバンド等に装着可能な円環状の係止部材と、一端が係止部材の下方に固定された腕状の保持腕と、保持腕の他端に固定され、音を発する発音体本体と発音体本体を覆うように設けられた略円盤状のプレートとからなる発音体とを備えることで、容易な構造で小型の補聴機器を提供することができる。
【００１４】
請求項３及び請求項４の考案によれば、プレートが、耳の耳甲介の縁に沿って耳甲介の全体や耳甲介膣のみを塞ぐ形状であることから、小型で目立たないと共に、耳全体を覆わないことで耳への圧迫感を軽減することができる。
【００１５】
請求項５の考案によれば、プレートが、低反発性樹脂製であることから、より一層、耳への圧迫感を軽減することができる。
【００１６】
請求項６及び請求項７の考案によれば、保持腕が、弾性材料で形成されていたり傾動可能な継手構造を有し、保持腕が発音体を外耳孔方向に付勢保持することから、発音体が耳にフィットすることになる。
【図面の簡単な説明】
【００１７】
【図１】本考案に係る補聴機器の一例を示す説明図である。
【図２】本考案に係る補聴機器の他の例を示す説明図である。
【図３】同補聴機器の第１の実施例を示す説明図である。
【図４】同補聴機器の第１の実施例を示す説明図である。
【図５】同補聴機器の第２の実施例を示す説明図である。
【図６】同補聴機器の第３の実施例を示す説明図である。
【考案を実施するための形態】
【００１８】
以下、図を用いて説明する。図１は、本考案に係る補聴機器の一例を示す説明図である。図２は、本考案に係る補聴機器の他の例を示す説明図である。本考案における補聴機器１，２は、ヘッドホンや補聴器のような耳に押し当てて音を再生するものである。補聴機器１，２のうち、補聴器は、周囲の音声を取り込んで音量を増幅させて再生するものであるのに対し、ヘッドホンは、音源となる電子機器と接続され、音を再生するものである。このように、本願において補聴機器には、単に音を発するヘッドホンの他、補聴器のようなマイクを有して音を増幅させて発するものも含む。
【００１９】
補聴機器１は、最低限の構成物として、係止部材１０、保持腕１２（１４）及び発音体２０とを備えている。係止部材１０は、後述するバックバンド４０や眼鏡ｇのテンプル部分ｔ又はモダン部分のような棒材を挿入する係止孔１０ａが穿設された円環状のものである。
【００２０】
また、図１における補聴機器１の保持腕１２は、一端が係止部材１０の下方に固定された腕状で、合成樹脂等の弾性材料で形成されている。また、図２における補聴機器２の保持腕１４は、継手構造を有し、具体的には、板状のハウジング１４ａの間に、傾動自在にボールスタッド１４ｂ，１４ｃが保持され、ボールスタッド１４ｂ，１４ｃにより、保持腕１４の一端と他端とが形成されている。
【００２１】
発音体２０は、音を発する発音体本体３０と発音体本体３０を覆うように設けられた略円盤状のプレート２２とからなる。発音体本体３０は、補聴器の場合にはスピーカとマイクで構成され、ヘッドホンの場合にはスピーカである。また、プレート２２は、耳ｅの耳甲介ｃの縁に沿って耳甲介ｃを塞ぐ形状で、低反発性樹脂製であることが好ましい。尚、プレート２２の耳甲介ｃを塞ぐ形状としては、耳甲介ｃの縁の内側に嵌まり込むような形状であってもよく、さらに、後述するように耳ｅの耳甲介ｃの外耳孔側の耳甲介膣ｃ１のみを塞ぐような形状であってもよい。
【００２２】
以下、本考案の補聴機器１，２の使用について具体的な実施例を、図面を参照しながら説明する。
【実施例１】
【００２３】
図３，４は、同補聴機器の第１の実施例を示す説明図である。図３及び図４に示す実施例では、補聴機器１を眼鏡ｇのテンプル部ｔに装着して用いている。具体的には、眼鏡ｇのテンプル部ｔを補聴機器１の係止部材１０の係止孔１０ａに挿嵌して、眼鏡ｇに補聴機器１を装着している。そして、眼鏡ｇを掛け、補聴機器１が耳ｅの前側に垂下するように位置調整する。その上で、補聴機器１の発音体２０のプレート２２を、耳ｅの耳甲介ｃに被さるように位置させることにより、補聴機器１を耳ｅに装着できる。尚、補聴機器１の保持腕１２が合成樹脂等の弾性材料で形成されており、保持腕１２が発音体２０を外耳孔方向に付勢保持することで（図４の矢印方向）、発音体２０が耳ｅにフィットすることになる。
【００２４】
尚、図２の補聴機器２の場合には、眼鏡ｇに対する装着方法は同様であり、また、補聴機器２の保持腕１４が、一端と他端との間に、傾動可能な継手構造を有しており、保持腕１４が、発音体２０を外耳孔方向に付勢保持することで、発音体２０が耳ｅにフィットすることになる。
【実施例２】
【００２５】
図５は、同補聴機器の第２の実施例を示す説明図である。図５に示す実施例では、棒状で、一端が耳ｅの上方に位置し後頭部付近を迂回して他端が他方の耳ｅの上方に位置して伸びる湾曲したバックバンド４０に補聴機器１を装着して用いている。具体的には、バックバンド４０の端部４０ａを補聴機器１の係止部材１０の係止孔１０ａに挿嵌して、バックバンド４０に補聴機器１を装着している。そして、バックバンド４０を掛け、補聴機器１が耳ｅの前側に垂下するように位置調整する。その上で、補聴機器１の発音体２０のプレート２２を、耳ｅの耳甲介ｃに被さるように位置させることにより、補聴機器１を耳ｅに装着できる。尚、補聴機器１の保持腕１２が合成樹脂等の弾性材料で形成されており、保持腕１２が発音体２０を外耳孔方向に付勢保持することで、発音体２０が耳ｅにフィットすることになる。
【００２６】
尚、図２の補聴機器２の場合には、バックバンド４０に対する装着方法は同様であり、また、補聴機器２の保持腕１４が、一端と他端との間に、傾動可能な継手構造を有しており、保持腕１４が、発音体２０を外耳孔方向に付勢保持することで、発音体２０が耳ｅにフィットすることになる。
【実施例３】
【００２７】
図６は、同補聴機器の第３の実施例を示す説明図である。図６に示す実施例の補聴機器３は、上述の補聴機器１，２と係止部材１０及び保持腕１２は同様であるが、発音体２４のプレート２６が、補聴器１，２に比べ小さくなっている。具体的には、補聴機器３のプレート２６は、耳ｅの耳甲介ｃの外耳孔側の耳甲介膣ｃ１のみを塞ぐ形状である。
【００２８】
以上のように構成され使用される補聴機器１，２，３によれば、小型で目立たないと共に、耳全体を覆わないことで耳への圧迫感を軽減することができる。また、プレート２２が、耳ｅの耳甲介ｃの縁に沿って耳甲介ｃの全体や耳甲介膣ｃ１のみを塞ぐ形状であることから、小型で目立たないと共に、耳ｅ全体を覆わないことで耳ｅへの圧迫感を軽減することができる。
【００２９】
さらに、プレート２２を、低反発性樹脂製にすることで、より一層、耳ｅへの圧迫感を軽減することができる。
【産業上の利用可能性】
【００３０】
本考案により、小型で目立たないと共に、耳全体を覆わないことで耳への圧迫感を軽減することができる補聴機器を提供することができる。
【符号の説明】
【００３１】
１・・・・・補聴機器
２・・・・・補聴機器
３・・・・・補聴機器
１０・・・・係止部材
１０ａ・・・係止孔
１２・・・・保持腕
１４・・・・保持腕
１４ａ・・・ハウジング
１４ｂ・・・ボールスタッド
１４ｃ・・・ボールスタッド
２０・・・・発音体
２２・・・・プレート
２４・・・・発音体
２６・・・・プレート
３０・・・・発音体本体
４０・・・・バックバンド
４０ａ・・・端部
ｅ・・・・・耳
ｃ・・・・・耳甲介
ｃ１・・・・耳甲介膣
ｇ・・・・・眼鏡
ｔ・・・・・テンプル部
【図１】
0003187988.tif 000003
【図２】
0003187988.tif 000004
【図３】
0003187988.tif 000005
【図４】
0003187988.tif 000006
【図５】
0003187988.tif 000007
【図６】
0003187988.tif 000008